(57)【要約】【課題】可動部ケースによって囲まれた可動部の放熱性を向上させることができる光ピックアップ装置を提供することにある。【解決手段】光ピックアップ装置は、光ディスクの半径方向に沿って移動可能な光ピックアップ筐体と、可動部と、可動部ケースと、放熱板と、を有し、放熱板と可動部ケースの間に空気が流れるための空間が形成されている。【選択図】図１
2007179661.tif 000002
【特許請求の範囲】
【請求項１】
光ディスクの半径方向に沿って移動可能な光ピックアップ筐体と、対物レンズを備えた可動部と、該可動部を上記光ピックアップ筐体に片持ち支持するための弾性支持体と、上記可動部より隔てられ且つ上記可動部の側面を囲むように装着された可動部ケースと、上記可動部に装着された放熱板と、を有し、該放熱板と上記可動部ケースの間に空気が流れるための空間が形成されていることを特徴とする光ピックアップ装置。
【請求項２】
請求項１記載の光ピックアップ装置において、上記放熱板は、１枚の金属板を加工することにより製造されていることを特徴とする光ピックアップ装置。
【請求項３】
請求項１記載の光ピックアップ装置において、上記放熱板は、半導体レーザが装着された底面と、該底面の両側より延びる２つの側面と、該側面に接続され光ディスクに対向した２つの上面と、を有し、上記可動部を囲むように対称的な形状を有することを特徴とする光ピックアップ装置。
【請求項４】
請求項１記載の光ピックアップ装置において、上記放熱板の２つの側面は上記弾性支持体に接続されていることを特徴とする光ピックアップ装置。
【請求項５】
請求項１記載の光ピックアップ装置において、上記光ピックアップ筐体には孔が形成され、該孔は上記放熱板と上記可動部ケースの間の空間に通じていることを特徴とする光ピックアップ装置。
【請求項６】
請求項１記載の光ピックアップ装置において、上記可動部ケースには孔が形成されていることを特徴とする光ピックアップ装置。
【発明の詳細な説明】
【技術分野】
【０００１】
本発明は、光ディスク駆動装置に使用して好適な光ピックアップ装置に関し、特に、光ピックアップ装置の放熱構造に関する。
【背景技術】
【０００２】
光ピックアップ装置は、光ディスクの半径方向に沿って移動可能な光ピックアップ筐体と、光ピックアップ筐体に対して片持ち支持された可動部を有し、可動部に、光源である半導体レーザ、光検出器、対物レンズ、ミラー等が設けられている。
【０００３】
可動部は、弾性変形可能なワイヤによって片持ち支持されており、空中に浮いた状態にある。可動部は、レーザ光が高速回転中の光ディスクのトラック上で焦点を結ぶように、電磁力により駆動される。光ディスクのトラックへのレーザ光の追従性を高めるには、可動部を軽量化する共にワイヤの剛性の確保する必要がある。
【０００４】
可動部は、多くの発熱部品を含む。特に光源である半導体レーザの発熱量が大きい。半導体レーザは、光ディスクの情報記録面に記録された情報を読むため、又は、光ディスクの情報記録面に情報を書き込むためのレーザ光の光源である。半導体レーザは、温度上昇により、その光出力の特性が変化し、保証温度以上で使用した場合には内部構造が破壊に至り、発振しなくなる。このため、光ピックアップ装置では、半導体レーザの放熱性の確保が必須である。
【０００５】
しかしながら、可動部は一般に放熱性が低い構造を有する。軽量化と製造コストの低減化のために、可動部の筐体は樹脂によって製造される。可動を支持するワイヤは、樹脂製の筐体に接続されている。そのため、ワイヤを介した放熱量は極めて小さく、専ら、周囲の空気の流れにより放熱する。
【０００６】
特許文献１に記載された例では、半導体レーザを含む部品に、放熱板を取り付け、この放熱板をディスクの回転による気流の影響の強い可動部の光ディスクと向き合う面にまで延長することで、放熱性を確保する。また特許文献２に記載された例では、この放熱板の光ディスクと向き合う面に凹凸をつけることで、さらなる放熱性向上を計っている。
【０００７】
特許文献３に記載された例では、弾性支持体のほかに、半導体レーザを含む部材に可動部の動作の妨げにならないように熱伝導部材を取り付け、これにより熱容量の大きな部材もしくは、光ピックアップ筐体へ熱を逃がすように構成されている。
【０００８】
【特許文献１】特開平8-194965号公報
【特許文献２】特開平8-221782号公報
【特許文献３】特開平9-185835号公報
【発明の開示】
【発明が解決しようとする課題】
【０００９】
近年、可動部は大型化し、光ディスクの回転による気流の影響を受けやすい。そこで、可動部が気流の影響を受けないように、可動部を囲む可動部ケースが設けられる。可動部ケースは、また、可動部の移動量を制限する機能も有する。
しかしながら、可動部ケースは、可動部の周囲の気流を抑制し、可動部の放熱性を低下させる。
【００１０】
本発明の目的は、可動部ケースによって囲まれた可動部の放熱性を向上させることができる光ピックアップ装置を提供することにある。
【課題を解決するための手段】
【００１１】
本発明によると、光ピックアップ装置は、光ディスクの半径方向に沿って移動可能な光ピックアップ筐体と、可動部と、可動部ケースと、放熱板と、を有し、放熱板と可動部ケースの間に空気が流れるための空間が形成されている。
【発明の効果】
【００１２】
本発明によると、可動部ケースによって囲まれた可動部の放熱性を向上させることができる。
【発明を実施するための最良の形態】
【００１３】
図１、図２及び図３を参照して、本発明の光ピックアップ装置の第１の例の構造を説明する。図１は本発明の光ピックアップ装置の第１の例の斜視図である。本例の光ピックアップ装置は、光ピックアップ筐体１を有し、光ピックアップ筐体１は、図示しない光ディスクドライブ筐体に設けられた軸に装着されている。光ピックアップ筐体１は、この軸に沿って、矢印Ｒに示すように、光ディスクの半径方向に沿って内周側と外周側の間を移動する。それによって、光ディスクの情報記録面に記録された情報が再生され、又は、光ディスクの情報記録面に情報が記録される。
【００１４】
光ピックアップ筐体１には可動部ケース２が設けられ、この可動部ケース２内に可動部１０が配置されている。可動部１０には、対物レンズ１１及び放熱板１６が装着されているが、放熱板１６については後に詳細に説明する。
【００１５】
可動部ケース２は、可動部１０の動作空間を保持しながら、可動部１０の側面を覆うように光ピックアップ筐体に取付けられている。可動部ケース２は、可動部１０が気流の影響を受けることを阻止すると同時に可動部１０の光ディスク半径方向の移動量を制限するように機能する。こうして可動部ケース２を設けることにより、光ディスク情報記録面への合焦機能が阻害されることがない。
【００１６】
図２は、図１の光ピックアップ装置より可動部ケース２を除去した状態を示す。光ピックアップ筐体１には、弾性支持体固定部３が設けられ、この弾性支持体固定部３には複数の弾性支持体４が装着されている。弾性支持体４によって可動部１０が片持ち支持されている。
【００１７】
光ピックアップ筐体１には、コイル５が設けられ、このコイル５は可動部１０に設けられた磁石１５に対向するように配置されている。コイル５に電流を流すことによって、電磁力が生じ、可動部１０が移動する。
【００１８】
図３を参照して、可動部１０について説明する。可動部１０は、対物レンズ１１、半導体レーザ１２、可動部筐体１３、光検出器等を有する。可動部筐体１３は、樹脂で形成されている。可動部筐体１３の側面には金属製の弾性支持体支持部１４が装着され、この弾性支持体支持部１４に、弾性支持体４の一端が装着されている。弾性支持体４の他端は光ピックアップ筐体１の弾性支持体固定部３に装着されている。弾性支持体４は片側５本、両側で１０本のワイヤからなる。可動部１０は弾性支持体４によって光ピックアップ筐体１に片持ち支持されている。
【００１９】
対物レンズ１１は、半導体レーザの光を光ディスク記録面に集光するように、可動部１０の光ディスク対向面に設置されている。
【００２０】
本発明によると、可動部１０には、可動部１０を囲むように金属板からなる放熱板１６が装着されている。放熱板１６は樹脂製の可動部筐体１３に適当な方法、例えば、接着剤によって接着される。この放熱板１６の下端部に半導体レーザ１２が取付けられている。半導体レーザが発生する熱は、放熱板１６を介して放熱される。
【００２１】
図４及び図５を参照して、本例の光ピックアップ装置の冷却構造を説明する。図４は本例の光ピックアップ装置の側面構成を示し、図５は図４の線Ａ−Ａに沿って見た断面構造を示す斜視図である。光ピックアップ筐体１の側面および下面に開口部１７が形成されている。この開口部１７は、可動部１０と可動部ケース２との間の空間とつながっており、この開口部１７から可動部１０と可動部ケースの間の空間へ風が出入りできるようになっている。これにより、光ディスクの回転によって生ずる気流や、可動部１０の発熱により温められた空気の密度差に起因する空気の流れが、可動部１０の側面を通過し、可動部１０の放熱性が向上する。
【００２２】
図６を参照して放熱板の構造の例を説明する。図６Ａは、放熱板１６の下端に半導体レーザ１２が装着された状態を示し、図６Ｂは、放熱板１６に半導体レーザが装着されていない状態を示す。放熱板１６は、底面１６３と、その両側に接続された側面１６２ａ、１６２ｂと、それに接続された上面１６１ａ、１６１ｂとを有し、可動部１０の周囲を囲むように構成されている。放熱板１６の底面１６３に半導体レーザ１２が装着される。
【００２３】
側面１６２ａ、１６２ｂには、それぞれ延長部１６２ｃ、１６２ｄが接続されている。こうして延長部１６２ｃ、１６２ｄを設けることにより放熱面が大きくなる。
【００２４】
放熱板１６は、1枚の板を折り曲げ加工及びプレス加工することにより製造され、左右が対称な形状を有する。従って、半導体レーザ１２によって発生した熱は２つの側面１６２ａ、１６２ｂに均等に伝わる。２つの側面１６２ａ、１６２ｂに伝わった熱は、それぞれ、延長部１６２ｃ、１６２ｄ及び上面１６１ａ、１６１ｂに伝わる。
【００２５】
図３に示したように、延長部１６２ｃ、１６２ｄは、弾性支持体支持部１４に接続されている。従って、延長部１６２ｃ、１６２ｄに伝わった熱は、弾性支持体支持部１４を経由して弾性支持体４に伝わる。弾性支持体４に伝わった熱は、弾性支持体固定部３を経由して光ピックアップ筐体１に伝わる。放熱板１６、弾性支持体支持部１４、弾性支持体４、弾性支持体固定部３、及び、光ピックアップ筐体１は金属製である。
【００２６】
従って、本例では、半導体レーザ１２によって発生した熱は、光ピックアップ筐体１に伝わり、そこで発散する。
【００２７】
放熱板１６の上面１６１ａ、１６１ｂは、光ディスクの回転によって生ずる気流に接触する。従って、上面１６１ａ、１６１ｂに伝わった熱は、この気流によって放熱される。放熱板１６の側面１６２ａ、１６２ｂ及び延長部１６２ｃ、１６２ｄは、図５に示したように、可動部１０と可動部ケースの間の空間に生ずる気流に接触する。従って、側面１６２ａ、１６２ｂ及び延長部１６２ｃ、１６２ｄに伝わった熱は、この気流によって放熱される。
【００２８】
従来、光ピックアップ装置の軽量化を維持しながら、剛性の確保と重心位置を設計するには、光学部品を固定する複雑な構造部は樹脂で製造し、強度や重心の調製には部分的に金属を使う必要があった。
【００２９】
本例によると、可動部筐体１３に金属製の放熱板１６を装着することにより、可動部１０の剛性が強化される。更に、放熱板１６の形状及び位置を調節することにより、可動部１０の重心の位置を任意の位置に設定することが可能となる。従って、対物レンズの光ディスクのトラックへの追従性能を確保できる。
【００３０】
このように、本例では、１枚の放熱板が、半導体レーザの放熱性確保、可動部の剛性の強化、可動部の重心位置の調整機能、トラックへの追従性能の確保等の複数の機能を提供する。また、放熱板は板状の金属をプレス成形することによって製造することができるため、製造価格の上昇を抑制できる。
【００３１】
図７に本発明による光ピックアップ装置の第２の例を説明する。本例の光ピックアップ装置は、可動部ケース２の側面に通気孔１８を設け、可動部ケース２で囲まれた内部空間に光ディスクの回転による気流を導入するようにした。これにより、可動部ケース２による可動部１０の移動量の制限の機能を損なうことなく、可動部１０に設けた放熱板１６による放熱量を増やすことができる。
【００３２】
以上、本発明の例を説明したが本発明は上述の例に限定されるものではなく、特許請求の範囲に記載された発明の範囲にて様々な変更が可能であることは当業者にとって容易に理解されよう。
【図面の簡単な説明】
【００３３】
【図１】本発明の光ピックアップ装置の第１の例の斜視図である。
【図２】本発明の光ピックアップ装置の第１の例より可動部ケースを除去した状態を示す斜視図である。
【図３】本発明の光ピックアップ装置の可動部の斜視図である。
【図４】本発明の光ピックアップ装置の側面図である。
【図５】図４の線Ａ−Ａに沿って見た本発明の光ピックアップ装置の断面図である。
【図６】本発明の光ピックアップ装置の放熱板の例の斜視図である。
【図７】本発明の光ピックアップ装置の第２の例の斜視図である。
【符号の説明】
【００３４】
1…光ピックアップ筐体、2…可動部ケース、３…弾性支持体固定部、４…弾性支持体、５…コイル、10…可動部、11…対物レンズ、13…可動部筐体、14…弾性支持体支持部、15…磁石、16…放熱板、17、18…通風孔、A-A…断面図の切断線、B…通風孔からの風の流れ
【図１】
2007179661.tif 000003
【図２】
2007179661.tif 000004
【図３】
2007179661.tif 000005
【図４】
2007179661.tif 000006
【図５】
2007179661.tif 000007
【図６】
2007179661.tif 000008
【図７】
2007179661.tif 000009